(57)【特許請求の範囲】
【請求項１】
式（１ａ）：
【化１】
0003576187.tif 000038
で示される反応性染料を、式（１ｂ）又は（１ｃ）：
【化２】
0003576187.tif 000039
（式中、
Ｄ及びＤ´は、互いに独立して、ベンゼン系列若しくはナフタレン系列のジアゾ成分の基又はモノアゾ−若しくはジアゾ染料の基であり、
Ｒ1 は、Ｃ1 −Ｃ4 アルキルであり、
Ｒ2 は、シアノ、カルバモイル又はスルホメチルであり、
Ｒ3 及びＲ3 ´は、互いに独立して、水素、或は非置換又は置換された、メチルを除いて、酸素により中断されていてもよいＣ1 −Ｃ12アルキルであり、
Ｂは、非置換又は置換された、酸素により中断されていてもよいＣ2 −Ｃ12アルキレンである）
で示される反応性染料の少なくとも１種と一緒に含有する染料混合物であり、
式（１ａ）、（１ｂ）又は（１ｃ）の反応性染料は、それぞれ、基Ｄ又はＤ’に結合した、少なくとも１個の繊維−反応性基を含有する染料混合物であり、ここで繊維−反応性基は、式（２ａ）、（２ｂ）、（２ｃ）、（２ｄ）、（２ｅ）、（２ｆ）若しくは（２ｇ）：
【化３】
0003576187.tif 000040
〔式中、
Ｗは式：−ＳＯ2 −ＮＲ4 −、−ＣＯＮＲ4 −若しくは−ＮＲ4 ＣＯ−（式中、Ｒ4 は水素、或は非置換又はヒドロキシル、スルホ、スルファト、カルボキシル若しくはシアノで置換されたＣ1 −Ｃ4 アルキルである）の基又は式：−ａｌｋ（Ｒ）−ＳＯ2 −Ｚ（式中、Ｒは水素、ヒドロキシル、スルホ、スルファト、カルボキシル、シアノ、ハロゲン、Ｃ1 −Ｃ4 アルコキシカルボニル、Ｃ1 −Ｃ4 アルカノイルオキシ、カルバモイル又は基：−ＳＯ2 −Ｚである）であり、
Ｚは式：−ＣＨ＝ＣＨ2 又は−ＣＨ2 −ＣＨ2 −Ｕ1 （式中、Ｕ1 は脱離基である）であり、
Ｚ1 は式：−ＣＨ（Ｈａｌ）−ＣＨ2 −Ｈａｌ又は−Ｃ（Ｈａｌ）＝ＣＨ2 （式中、Ｈａｌはハロゲンである）の基であり、
Ｅは基：−Ｏ−又は−ＮＲ5 （式中、Ｒ5 は水素又はＣ1 −Ｃ4 アルキルである）であり、
ａｌｋ及びａｌｋ´は、互いに独立して、Ｃ1 −Ｃ6 アルキレンであり、
ａｒｙｌｅｎｅは非置換又はスルホ、カルボキシル、Ｃ1 −Ｃ4 アルキル、Ｃ1 −Ｃ4 アルコキシ若しくはハロゲンで置換された、フェニレン若しくはナフチレン基である〕
で示される基、又は式（３）若しくは（４）：
【化４】
0003576187.tif 000041
〔式中、
Ｒ´は水素、或は非置換又はヒドロキシル、スルホ、スルファト、カルボキシル若しくはシアノで置換されたＣ1 −Ｃ4 アルキルであり、
Ｘ、Ｘ1 及びＸ2 はハロゲンであり、そして
Ｔはハロゲン、ヒドロキシル、スルホ、Ｃ1 −Ｃ4 アルコキシ、Ｃ1 −Ｃ4 アルキルチオ、Ｃ1 −Ｃ4 アルキルスルホニル、フェニルスルホニル、モルホリノ又は非置換若しくは置換アミノであるか、又はＴは式（５ａ）、（５ｂ）、（５ｃ）、（５ｄ）、（５ｅ）若しくは（５ｆ）：
【化５】
0003576187.tif 000042
（式中、Ｒ、Ｒ4 、Ｅ、Ｗ、Ｚ、Ｚ1 、ａｌｋ、ａｌｋ´及びａｒｙｌｅｎｅは上記と同義であり、Ｒ6 は水素又はＣ1 −Ｃ4 アルキルであり、そしてｐは０又は１である）の繊維−反応性である〕
で示される繊維−反応性基を含有する染料混合物であり、
式（１ａ）、（１ｂ）又は（１ｃ）の反応性染料は、それぞれ、少なくとも一個のスルホ又はスルファト基を含有する染料混合物。
【請求項２】
Ｒ1 がメチルである請求項１記載の染料混合物。
【請求項３】
Ｒ2 がシアノ又はカルバモイルである請求項１又は２記載の染料混合物。
【請求項４】
Ｒ3 及びＲ3 ´が、互いに独立して、水素、或は非置換又はヒドロキシル、スルホ若しくはスルファトで置換された、メチルを除いて、酸素により中断されていてもよいＣ1 −Ｃ12アルキルである請求項１〜３のいずれか１項に記載の染料混合物。
【請求項５】
ＢがＣ2 −Ｃ6 アルキレンである請求項１〜４のいずれか１項に記載の染料混合物。
【請求項６】
Ｄ及びＤ´が、互いに独立して、式（６）又は（７）：
【化６】
0003576187.tif 000043
（式中、環：Ａ、Ｂ、Ｃ、Ｄ及びＥは、互いに独立して、非置換であるか、或はＣ1 −Ｃ4 アルキル、又はヒドロキシル若しくはＣ1 −Ｃ4 アルコキシでさらに置換されたＣ1 −Ｃ4 アルキル、Ｃ1 −Ｃ4 アルコキシ、Ｃ2 −Ｃ4 アルカノイルアミノ、ハロゲン又はスルホで置換されており、そしてＹ1 及びＹ2 は、互いに独立して、請求項１記載の式（２ａ）〜（２ｇ）又は式（３）若しくは（４）の反応性基である）で示される基である請求項１〜５のいずれか１項に記載の染料混合物。
【請求項７】
Ｄ及びＤ´が同一であってＲ3 及びＲ3 ´が同一である請求項１〜６のいずれか１項に記載の染料混合物。
【請求項８】
Ｄ及びＤ´が同一であって式（６）又は（７）の基であり、Ｒ1 がメチルであり、Ｒ2 がシアノ又はカルバモイルであり、Ｒ3 及びＲ3 ´が同一であって水素、或は非置換又はヒドロキシル、スルホ若しくはスルファトで置換された、メチルを除いて、酸素により中断されていてもよいＣ1 −Ｃ12アルキルであり、そしてＢがＣ2 −Ｃ6 アルキレンである請求項６記載の染料混合物。
【請求項９】
式（１ａ）、（１ｂ）又は（１ｃ）の染料が、それぞれの場合に少なくとも１個のスルホ基を含む請求項１〜８のいずれか１項に記載の染料混合物。
【請求項１０】
請求項１記載の染料混合物の製造方法であって、
式（８ａ）及び（８ｂ）：
【化７】
0003576187.tif 000044
（式中、Ｄ及びＤ´は請求項１と同義である）で示されるアミンの少なくとも１種をジアゾ化し、そしてこのジアゾ化生成物を式（９ａ）：
【化８】
0003576187.tif 000045
の化合物を式（９ｂ）又は（９ｃ）：
【化９】
0003576187.tif 000046
（式中、Ｒ1 、Ｒ2 、Ｒ3 、Ｒ3 ´及びＢは請求項１と同義である）で示される化合物の少なくとも１種と一緒に含有する混合物にカップリングさせ、適切な場合にはその後さらに変換反応を行なうことを特徴とする方法。
【請求項１１】
ヒドロキシル基又は窒素を含む繊維材料を染色又は捺染するための、請求項１〜９のいずれか１項に記載の反応性染料混合物又は請求項１０により得られた染料混合物の使用。
【請求項１２】
セルロース性繊維材料又は天然由来若しくは合成ポリアミド繊維材料を染色又は捺染するための請求項１１記載の使用。
【発明の詳細な説明】
【０００１】
【産業上の利用分野】
本発明は、新規な反応性染料、それらの製造方法及び繊維材料を染色又は捺染するためのそれらの用途に関する。
【０００２】
【従来の技術及び発明が解決しようとする課題】
最近、反応性染料による染色の実際面では、染色の質及び染色方法の経済面への要求が増大している。従って、特に適用面に関しての改良された性質を有する、新規な反応性染料への必要性が変わらずに存在している。
【０００３】
適切な直接染色性を有し、同時に非−固定部分を容易に洗い落せる反応性染料が、染色のために今や必要とされている。さらに、それらは良好な着色収率及び高反応性を持つべきであり、そして高い固着度を持つ染色法が特に創出されるべきである。公知の染料では、それらの要求はすべてのそれらの特性の点で満たされていない。
【０００４】
本発明は繊維材料の染色及び捺染に用いられ、そして上記に特徴づけられた高い品質を有する、新規な、改良された反応性染料を見出すことを目的としている。特に、新規な染料は高い固着収率及び繊維−染料結合の高安定性により特色づけられるべきであり、そしてさらに繊維に固着されていない部分は容易に洗い落すことのできるものである。さらに、それらはあらゆる点での良好な特性、例えば光及び湿潤状態に対する堅牢性を有する染色法を創出するものである。
【０００５】
ここに記載された目的は以下に定義した新規な反応性染料により十分に達成されることが見出された。
【０００６】
【課題を解決するための手段】
従って、本発明は、式（１ａ）：
【０００７】
【化１０】
0003576187.tif 000002
【０００８】
の反応性染料を式（１ｂ）又は（１ｃ）：
【０００９】
【化１１】
0003576187.tif 000003
【００１０】
（式中、Ｄ及びＤ´はベンゼン系列若しくはナフタレン系列のジアゾ成分の基又はモノアゾ若しくはジアゾ染料の基であり、Ｒ１  はＣ１  −Ｃ４  アルキルであり、Ｒ２  はシアノ、カルバモイル又はスルホメチルであり、Ｒ３  及びＲ３  ´は、互いに独立して、水素、或は非置換又は置換された、メチルを除いて酸素により中断されていてもよいＣ１  −Ｃ１２アルキルであり、Ｂは非置換又は置換された、酸素により中断されていてもよいＣ２  −Ｃ１２アルキレンである）で示される反応性染料の少なくとも１種と一緒に含有する染料混合物であり、式（１ａ）、（１ｂ）又は（１ｃ）の反応性染料は、それぞれ、少なくとも１個の繊維−反応性基を含有する染料混合物に関する。
【００１１】
基：Ｄ及びＤ´での置換基の例は、炭素原子１ないし１２個、特に１ないし４個を有するアルキル基（例えばメチル、エチル、プロピル、イソプロピル若しくはブチル）、Ｃ１  −Ｃ４  アルコキシ又はヒドロキシルでさらに置換されたアルキル、炭素原子１ないし８個、特に１ないし４個を有するアルコキシ基（例えばメトキシ、エトキシ、プロポキシ、イソプロポキシ若しくはブトキシ）、炭素原子２ないし８個、特に２ないし４個を有するアルカノイルアミノ基（例えばアセチルアミノ又はプロピオニルアミノ）、フェニル−若しくはナフチル−アミノ、炭素原子２ないし８個、特に２ないし４個を有するアルコキシカルボニルアミノ基、炭素原子２ないし８個、特に２ないし４個を有するアルカノイル基、アルコキシ基中に炭素原子炭素原子１ないし４個を有するアルコキシカルボニル（例えばメトキシカルボニル若しくはエトキシカルボニル）、炭素原子１ないし４個を有するアルキルスルホニル（例えば、メチルスルホニル若しくはエチルスルホニル）、フェニル−若しくはナフチルスルホニル、ベンゾイル、非置換若しくは窒素原子上にＣ１  −Ｃ４  アルキルで置換されたベンゾイルアミノ、フェニル、ナフチル、アミノ、Ｃ１  −Ｃ１２アルキル、（フェニル若しくはナフチルで一若しくは二置換された）アミノ、トリフルオロメチル、ニトロ、シアノ、ヒドロキシル、ハロゲン（例えばフルオロ、クロロ若しくはブロモ）、カルバモイル、アルキル基に炭素原子１ないし４個を有するＮ−アルキルカルバモイル（例えばＮ−メチルカルバモイル若しくはＮ−エチルカルバモイル）、スルファモイル、炭素原子１ないし４個を有するＮ−アルキルスルファモイル〔例えばＮ−メチルスルファモイル、Ｎ−エチルスルファモイル、Ｎ−プロピルスルファモイル、Ｎ−イソプロピルスルファモイル若しくはＮ−ブチルスルファモイル〕、Ｎ−（βヒドロキシエチル）−スルファモイル、Ｎ，Ｎ−ジ−（β−ヒドロキシエチル）−スルファモイル、Ｎ−フェニルスルファモイル、ウレイド、カルボキシル、スルホメチル、スルホ若しくはスルファト及び繊維−反応性基であり、アルキル、フェニル又はナフチル基を含む置換基は、例えばＤ及びＤ´のために上に定義された置換基によりアルキル、フェニル若しくはナフチル基に、さらに置換されることができる。さらにアルキル基は酸素（−Ｏ−）により中断されることができる。
【００１２】
繊維−反応性基は、セルロースのヒドロキシル基、羊毛及び絹のアミノ、カルボキシル、ヒドロキシル及びチオール基又は合成ポリアミドのアミノ基及びあらゆるカルボキシル基と反応して共有化学結合を生じ得るものを意味すると理解されるべきである。繊維−反応性基は、原則として直接又は架橋員を介して染料基に結合する。適切な繊維−反応性基は、例えば脂肪族、芳香族若しくは複素環式基上に少なくとも１つの除去可能な置換基を含むものであるか、又は上記の基が繊維材料、例えばビニル基との反応に適切な基を含むものである。
【００１３】
式（１ａ）、（１ｂ）又は（１ｃ）の反応性染料は、好適には少なくとも２個、特に２又は４個の繊維−反応性基を有する。
【００１４】
好適には基Ｄ又はＤ´に結合し得る式（１ａ）、（１ｂ）及び（１ｃ）の反応性染料中の繊維−反応性基は、例えば：
【００１５】
ａ）式（２ａ）、（２ｂ）、（２ｃ）、（２ｄ）、（２ｅ）、（２ｆ）又は（２ｇ）：
【００１６】
【化１２】
0003576187.tif 000004
【００１７】
〔式中、Ｗは式：−ＳＯ２  −ＮＲ４  −、−ＣＯＮＲ４  −若しくは−ＮＲ４  ＣＯ−（式中、Ｒ４  は水素、或は非置換又はヒドロキシル、スルホ、スルファト、カルボキシル若しくはシアノで置換されたＣ１  −Ｃ４  アルキルである）の基又は式：−ａｌｋ（Ｒ）−ＳＯ２  −Ｚ（式中、Ｒは水素、ヒドロキシル、スルホ、スルファト、カルボキシル、シアノ、ハロゲン、Ｃ１  −Ｃ４  アルコキシカルボニル、Ｃ１  −Ｃ４  アルカノイルオキシ、カルバモイル又は基：−ＳＯ２  −Ｚである）であり、Ｚは式：−ＣＨ＝ＣＨ２  又は−ＣＨ２  −ＣＨ２  −Ｕ１  （式中、Ｕ１  は脱離基である）の基であり、Ｚ１  は式：−ＣＨ（Ｈａｌ）−ＣＨ２  −Ｈａｌ又は−Ｃ（Ｈａｌ）＝ＣＨ２  （式中、ｈａｌはハロゲンである）の基であり、Ｅは基：−Ｏ−又は−ＮＲ５  であり、ａｌｋ及びａｌｋ´は、互いに独立して、Ｃ１  −Ｃ６  アルキレンであり、そしてａｒｙｌｅｎｅは非置換又はスルホ、カルボキシル、Ｃ１  −Ｃ４  アルキル、Ｃ１  −Ｃ４  アルコキシ若しくはハロゲンで置換された、フェニレン若しくはナフチレン基である〕で示される反応性基；
【００１８】
ｂ）ハロトリアジン又はハロピリミジン系列の反応性基、特に式（３）及び（４）：
【００１９】
【化１３】
0003576187.tif 000005
【００２０】
〔式中、Ｒ´は水素或は非置換又はヒドロキシル、スルホ、スルファト、カルボキシル若しくはシアノで置換されたＣ１  −Ｃ４  アルキルであり、Ｘはアニオンとして脱離され得る基であり、そしてＴはアニオンとして脱離され得る基であるか、或は非反応性基、又は式（５ａ）、（５ｂ）、（５ｃ）、（５ｄ）、（５ｅ）若しくは（５ｆ）：
【００２１】
【化１４】
0003576187.tif 000006
【００２２】
（式中、Ｒ、Ｒ４  、Ｅ、Ｗ、Ｚ、Ｚ１  、ａｌｋ、ａｌｋ´及びａｒｙｌｅｎｅは上記と同義であり、Ｒ６  は水素又はＣ１  −Ｃ４  アルキルであり、そしてｐは０又は１である）で示される反応性基であり、基Ｘ１  の１つがアニオンとして脱離され得る基であり、他の基Ｘ１  は非反応性置換基若しくは式（５ａ）ないし（５ｆ）で示される基又はアニオンとして脱離され得る基であり、そしてＸ２  は負の置換基である〕で示される基である。
【００２３】
適切な脱離基Ｕ１  は、例えば−Ｃｌ、−Ｂｒ、−Ｆ、−ＯＳＯ３  Ｈ、−ＳＳＯ３  Ｈ、−ＯＣＯ−ＣＨ３  、−ＯＰＯ３  Ｈ２  −、−ＯＣＯ−ＣＣｌ３  、−ＯＣＯ−ＣＨＣｌ２  、−ＯＣＯ−ＣＨ２  Ｃｌ、−ＯＳＯ２  −Ｃ１  −Ｃ４  アルキル、−ＯＳＯ２  −Ｎ（Ｃ１  −Ｃ４  アルキル）２  又は−ＯＣＯ−Ｃ６  Ｈ５  の基である。
【００２４】
Ｕ１  は好適には式：−Ｃｌ、−ＯＳＯ３  Ｈ、−ＳＳＯ３  Ｈ、−ＯＣＯ−ＣＨ３  、−ＯＣＯ−Ｃ６  Ｈ５  又はＯＰＯ３  Ｈ２  、特に式：−Ｃｌ又は−ＯＳＯ３  Ｈ、好適には−ＯＳＯ３  Ｈの基である。
【００２５】
ａｌｋ及びａｌｋ´は、互いに独立して、例えばメチレン、エチレン、１，３−プロピレン、１，４−ブチレン、１，５−ペンチレン又は１，６−ヘキシレン基若しくはそれの分岐の異性体である。
【００２６】
ａｌｋ及びａｌｋ´は、好適にはＣ１  −Ｃ４  アルキレン基、特に好適にはエチレン基である。
【００２７】
ａｒｙｌｅｎｅは、好適には非置換又は例えばスルホ、メチル、メトキシ若しくはカルボキシルにより置換された、１，３−若しくは１，４−フェニレン基である。
【００２８】
Ｒは、好適には水素である。
【００２９】
Ｒ４  は、好適には水素又はＣ１  −Ｃ４  アルキル、例えばメチル、エチル、プロピル、イソプロピル、ブチル、イソブチル、ｓｅｃ−ブチル若しくはｔｅｒｔ−ブチルである。Ｒ４  は特に好適には水素である。
【００３０】
Ｒ６  は、好適には水素、メチル又はエチル、特に水素である。
【００３１】
Ｅは好適には−ＮＨ−又は−Ｏ−であり、そして特に好適には−Ｏ−である。
【００３２】
Ｗは好適には式：−ＣＯＮＨ−又は−ＮＨＣＯ−の基、特に式：−ＣＯＮＨ−の基である。
【００３３】
基Ｚ１  のＨａｌは、好適にはクロロ、又は特にブロモである。
【００３４】
式（２ａ）ないし（２ｇ）の好適な反応性基は、Ｗが式：−ＣＯＮＨ−又は−ＮＨＣＯ−の基であり、Ｒ及びＲ４  が水素であり、Ｅが基：−Ｏ−又は−ＮＨ−であり、Ｈａｌがクロロ又はブロモであり、そしてＵ１  が式：−Ｃｌ、−ＯＳＯ３  Ｈ、−ＳＳＯ３  Ｈ、−ＯＣＯ−ＣＨ３  、−ＯＣＯ−Ｃ６  Ｈ５  又は−ＯＰＯ３  Ｈ２  の基、特に式：−Ｃｌ又は−ＯＳＯ３  Ｈの基であるものである。
【００３５】
Ｒ´は、好適には水素、或は非置換又はヒドロキシル、スルホ若しくはスルファトで置換されたＣ１  −Ｃ１２アルキルである。
【００３６】
Ｒ´は好適には水素又はＣ１  −Ｃ４  アルキル、特に水素である。
【００３７】
Ｘは、例えばフルオロ、クロロ若しくはブロモのようなハロゲン、スルホ、Ｃ１  −Ｃ４  アルキルスルホニル又はフェニルスルホニルであり、好適にはハロゲン、特にフルオロ若しくはクロロである。
【００３８】
アニオンとして脱離され得る基Ｔは、例えばフルオロ、クロロ若しくはブロモのようなハロゲン、スルホ、Ｃ１  −Ｃ４  アルキルスルホニル又はフェニルスルホニルであり、好適にはハロゲン特にフルオロ若しくはクロロである。
【００３９】
非−反応性基Ｔは、例えばヒドロキシル、Ｃ１  −Ｃ４  アルコキシ、Ｃ１  −Ｃ４  アルキルチオ、モルホリノ又は非置換若しくは置換アミノである。非置換又は置換アミノＴは、非置換アミノであるか、又は例えばＮ−Ｃ１  −Ｃ４  アルキルアミノ若しくはＮ，Ｎ−ジ−Ｃ１  −Ｃ４  アルキルアミノ（ここで、アルキルは非置換であるか、又は例えばスルホ、スルファト、ヒドロキシル、カルボキシル若しくはフェニルで置換されている）、シクロヘキシルアミノ、Ｎ−Ｃ１  −Ｃ４  アルキル−Ｎ−フェニルアミノ若しくはフェニルアミノ又はナフチルアミノ（ここで、フェニル又はナフチルは、非置換又は例えばＣ１  −Ｃ４  アルキル、Ｃ１  −Ｃ４  アルコキシ、Ｃ２  −Ｃ４  アルカノイルアミノ、カルボキシル、スルホ若しくはハロゲンで置換されている）である。
【００４０】
適切な非−反応性基Ｔの例は、アミノ、メチルアミノ、エチルアミノ、β−ヒドロキシエチルアミノ、Ｎ，Ｎ−ジ−β−ヒドロキシエチルアミノ、β−スルホエチルアミノ、シクロヘキシルアミノ、モルホリノ、ｏ−、ｍ−又はｐ−クロロフェニルアミノ、ｏ−、ｍ−又はｐ−メチルフェニルアミノ、ｏ−、ｍ−又はｐ−メトキシフェニルアミノ、ｏ−、ｍ−又はｐ−スルホフェニルアミノ、ジスルホフェニルアミノ、ｏ−カルボキシフェニルアミノ、１−又は２−ナフチルアミノ、１−スルホ−２−ナフチルアミノ、４，８−ジスルホ−２−ナフチルアミノ、Ｎ−エチル−Ｎ−フェニルアミノ、Ｎ−メチル−Ｎ−フェニルアミノ、メトキシ、エトキシ、ｎ−若しくはイソ−プロポキシ及びヒドロキシルである。
【００４１】
非−反応性基Ｔは、好適にはＣ１  −Ｃ４  アルコキシ、Ｃ１  −Ｃ４  アルキルチオ、ヒドロキシル、アミノ、アルキル部分が非置換又はヒドロキシル、スルファト若しくはスルホで置換されたＮ−Ｃ１  −Ｃ４  アルキルアミノ、モルホリノ又はフェニルアミノ若しくはＮ−Ｃ１  −Ｃ４  アルキル−Ｎ−フェニルアミノ（ここで、それぞれの場合のフェニルは非置換又はスルホ、カルボキシル、アセチルアミノ、メチル若しくはメトキシで置換されている）である。
【００４２】
特に好適な非−反応性基Ｔは、Ｃ１  −Ｃ４  アルコキシ、モルホリノ、フェニルアミノ若しくはＮ−Ｃ１  −Ｃ４  アルキル−Ｎ−フェニルアミノ（ここで、それぞれの場合のフェニルは非置換又はスルホ、カルボキシル、アセチルアミノ、メチル若しくはメトキシで置換されている）である。
【００４３】
反応性基Ｔは、好適には式（５ａ）ないし（５ｆ）（式中、Ｒ、Ｒ４  、Ｒ６  、Ｅ、Ｗ、Ｚ、Ｚ１  、ａｌｋ、ａｌｋ´及びａｒｙｌｅｎｅは上記と同義である）で示される基である。
【００４４】
好適な反応性基Ｔは、式（５ａ）ないし（５ｆ）（式中、Ｗは式：−ＣＯＮＨ−又は−ＮＨＣＯ−の基であり、Ｒ、Ｒ４  及びＲ６  は水素であり、Ｅは基：−Ｏ−又は−ＮＨ−であり、Ｈａｌはクロロ又はブロモであり、そしてＵ１  は式：−Ｃｌ、−ＯＳＯ３  Ｈ、−ＳＳＯ３  Ｈ、−ＯＣＯ−ＣＨ３  、−ＯＣＯ−Ｃ６  Ｈ５  又は−ＯＰＯ３  Ｈ２  の基、特に式：−Ｃｌ又は−ＯＳＯ３  Ｈの基である）で示される基である。
【００４５】
特に好適な反応性基Ｔは、式（５ａ）ないし（５ｆ）（式中、Ｗは式：−ＣＯＮＨ−の基であり、Ｒ、Ｒ４  及びＲ６  は水素であり、Ｅは基：−Ｏ−であり、Ｈａｌはクロロ又はブロモであり、そしてＵ１  は式：−Ｃｌ又は−ＯＳＯ３  Ｈの基、特に式：−ＯＳＯ３  Ｈの基である）で示される基である。
【００４６】
Ｔは、好適にはハロゲン、ヒドロキシル、スルホ、Ｃ１  −Ｃ４  アルコキシ、Ｃ１  −Ｃ４  アルキルチオ、Ｃ１  −Ｃ４  アルキルスルホニル、フェニルスルホニル、モルホリノ、非置換若しくは置換アミノ又は式（５ａ）ないし（５ｆ）（好適なものを含めて上記と同義である）で示される反応性基である。
【００４７】
Ｔは特に好適には、クロロ、フルオロ、Ｃ１  −Ｃ４  アルコキシ、モルホリノ又はＮ−Ｃ１  −Ｃ４  アルキル−Ｎフェニルアミノ若しくはフェニルアミノ（ここで、それぞれの場合のフェニルは非置換又はスルホ、カルボキシル、アセチルアミノ、メチル若しくはメトキシで置換されている）であるか、又は式（５ａ）ないし（５ｆ）（好適なものを含めて上記と同義である）で示される反応性基である。
【００４８】
アニオンとして脱離され得る基Ｘ１  は、好適にはハロゲン、特にフルオロ又はクロロである。
【００４９】
非−反応性置換基Ｘ１  は、例えば好適なものを含めて非−反応性置換基Ｔに対して上記されたものと同義である。
【００５０】
基Ｘ１  は特に好適にはハロゲン、特にフルオロ又はクロロである。
【００５１】
適切な基Ｘ２  の例は、ニトロ、シアノ、Ｃ１  −Ｃ４  アルキルスルホニル、カルボキシル、クロロ、ヒドロキシル、Ｃ１  −Ｃ４  アルコキシスルホニル、Ｃ１  −Ｃ４  アルキルスルフィニル、Ｃ１  −Ｃ４  アルコキシカルボニル又はＣ２  −Ｃ４  アルカノイルであり、好適にはクロロ、シアノ及びメチルスルホニルである。Ｘ２  は特に好適にはハロゲン、特にクロロである。
【００５２】
好適な式（３）の反応性基は、Ｘがハロゲンであり、そしてＴが好適なものを含めて上記と同義であるものである。
【００５３】
好適な式（４）の反応性基は、２個の置換基Ｘ１  がハロゲン特にクロロ又はフルオロであり、そしてＸ２  がハロゲン特にクロロであるものである。
【００５４】
特に好適な式（４）の反応性基は、２個の置換基Ｘ１  がフルオロ又はクロロであり、そしてＸ２  がクロロであるものである。
【００５５】
式（１ａ）、（１ｂ）又は（１ｃ）の反応性染料は、好適には繊維−反応性基として、式（２ａ）ないし（２ｇ）の反応性基又は式（３）若しくは（４）の反応性基〔ここで、Ｒ´は水素、或は非置換又はヒドロキシル、スルホ、スルファト、カルボキシル若しくはシアノで置換されたＣ１  −Ｃ４  アルキルであり、Ｘ、Ｘ１  及びＸ２  はハロゲンであり、そしてＴはハロゲン、ヒドロキシル、スルホ、Ｃ１  −Ｃ４  アルコキシ、Ｃ１  −Ｃ４  アルキルチオ、Ｃ１  −Ｃ４  アルキルスルホニル、フェニルスルホニル、モルホリノ又は非置換若しくは置換アミノであるか、又はＴは式（５ａ）ないし（５ｆ）の繊維−反応性基であり、そして式（２ａ）ないし（２ｇ）並びに（３）及び（４）の反応性基は好適なものを含めて上記と同義である〕を含有する。
【００５６】
Ｃ１  −Ｃ４  アルキルとしてのＲ１  は、メチル、エチル、プロピル、イソプロピル、ブチル、イソブチル、ｓｅｃ−ブチル又はｔｅｒｔ−ブチル、特にメチルである。
【００５７】
Ｒ２  は好適にはシアノ又はカルバモイルである。
【００５８】
Ｃ１  −Ｃ１２アルキル基Ｒ３  及びＲ３  ´の置換基は、例えばヒドロキシル、スルホ、スルファト、ハロトリアジン若しくはハロピリミジン系列の反応性基、特に上記の式（３）及び（４）の反応性基並びにフェニル又はナフチル（ここで、フェニル及びナフチル基は非置換又はＣ１  −Ｃ４  アルキル、Ｃ１  −Ｃ４  アルコキシ、Ｃ２  −Ｃ４  アルカノイルアミノ、ハロゲン又はスルホで置換されている）である。基Ｒ３  及びＲ３  ´は好適には反応性基を含まない。
【００５９】
基Ｂ、Ｒ３  及びＲ３  ´は、酸素により例えば１ないし３個、特に１又は２個の基：−Ｏ−により中断されることができる。
【００６０】
基Ｂは、好適には非置換又はヒドロキシル、スルホ若しくはスルファトで置換されたＣ２  −Ｃ８  アルキレンであり、そして１ないし３個、特に１又は２個の基：−Ｏ−により中断されていてもよい。
【００６１】
基Ｂは、特に好適にはＣ２  −Ｃ６  アルキレン、特に１，２−エチレン、１，３−プロピレン又は１，６−ヘキシレンである。
【００６２】
基Ｒ３  及びＲ３  ´は、好適には、互いに独立して、水素、或は非置換又はヒドロキシ、スルホ若しくはスルファトで置換された、メチルを除いて、酸素により中断されていてもよいＣ１  −Ｃ１２アルキルである。
【００６３】
基Ｒ３  及びＲ３  ´は、特に好適には、互いに独立して、水素、或は非置換又はヒドロキシ、スルホ若しくはスルファトで置換された、メチルを除いて、１ないし３個、特に１又は２個の基：−Ｏ−により中断されていてもよいＣ１  −Ｃ８  アルキルである。
【００６４】
基Ｒ３  及びＲ３  ´は好適には同一の意義を有する。
【００６５】
基Ｒ３  及びＲ３  ´の例は、メチル、エチル、プロピル、イソプロピル、ブチル、イソブチル、ｓｅｃ−ブチル、ｔｅｒｔ−ブチル、直鎖若しくは分岐鎖ペンチル、ヘキシル、オクチル、２−ヒドロキシエチル、３−ヒドロキシプロピル、２−スルファトエチル、３−スルファトプロピル、２−スルホエチル、３−スルホプロピル、２−メトキシエチル、３−メトキシプロピル並びに式：−（ＣＨ２  ）２  −Ｏ−（ＣＨ２  ）２  −ＯＨ及び−（ＣＨ２  ）２  −Ｏ−（ＣＨ２  ）２  −ＯＳＯ３  Ｈの基である。
【００６６】
式（１ａ）、（１ｂ）又は（１ｃ）の染料は、それぞれの場合に少なくとも１個のスルホ基又はスルファト基、特に少なくとも１個のスルホ基を有する。それらは、特に好適には１ないし４個、特に２ないし４個のスルホ及び／又はスルファト基、好適には２ないし４個のスルホ基を含む。
【００６７】
基Ｄ及びＤ´は、好適にはベンゼン若しくはナフタレン系列の基又はベンゼン若しくはナフタレン系列のジアゾ成分及びベンゼン若しくはナフタレン系列のカップリング成分を含有するモノアゾ染料の基であり、上記のベンゼン及びナフタレン基は非置換であるか、或はＣ１  −Ｃ４  アルキル、ヒドロキシル若しくはＣ１  −Ｃ４  アルコキシでさらに置換されたＣ１  −Ｃ４  アルキル、Ｃ１  −Ｃ４  アルコキシ、Ｃ２  −Ｃ４  アルカノイルアミノ、ハロゲン、スルホ又は式（２ａ）ないし（２ｇ）の反応性基又は式（３）若しくは（４）の反応性基により置換されている。式（２ａ）ないし（２ｇ）又は式（３）若しくは（４）の反応性基は好適なものを含めて上記と同義である。
【００６８】
Ｄ及びＤ´は特に好適には、互いに独立して、式（６）又は（７）：
【００６９】
【化１５】
0003576187.tif 000007
【００７０】
〔式中、環：Ａ、Ｂ、Ｃ、Ｄ及びＥは、互いに独立して、非置換であるか、或はＣ１  −Ｃ４  アルキル、又はヒドロキシル若しくはＣ１  −Ｃ４  アルコキシでさらに置換されたＣ１  −Ｃ４  アルキル、Ｃ１  −Ｃ４  アルコキシ、Ｃ２  −Ｃ４  アルカノイルアミノ、ハロゲン又はスルホで置換されており、そしてＹ１  及びＹ２  は、互いに独立して、式（２ａ）ないし（２ｇ）又は式（３）若しくは（４）の反応性基である〕で示される基である。式（２ａ）ないし（２ｇ）又は式（３）若しくは（４）の反応性基は好適なものを含めて上記と同義である。
【００７１】
Ｄ及びＤ´は好適には同一の意義を有する。
【００７２】
好適な染料混合物は、式（１ａ）、（１ｂ）又は（１ｃ）（式中、Ｄ及びＤ´は同一の意義を有し、そしてＲ３  及びＲ３  ´は同一の意義を有する）の反応性染料の混合物である。
【００７３】
特に好適な染料混合物は、Ｄ及びＤ´が同一の意義を有し、式（６）又は（７）の基であり、Ｒ１  がメチルであり、Ｒ２  がシアノ又はカルバモイルであり、Ｒ３  及びＲ３  ´が同一の意義を有し、水素、或は非置換又はヒドロキシル、スルホ若しくはスルファトで置換された、メチルを除いて、酸素により中断されていてもよいＣ１  −Ｃ１２アルキルであり、そしてＢは酸素で中断されていてもよいＣ２  −Ｃ６  アルキレンである、式（１ａ）、（１ｂ）又は（１ｃ）で示される反応性染料の混合物である。
【００７４】
特に好適な染料混合物は、式（１ａ）の反応性染料を式（１ｂ）の反応性染料と一緒に含有する混合物である。式（１ａ）及び（１ｂ）の反応性染料は、好適なものを含めて上記と同義である。
【００７５】
原理的に、式（１ａ）、（１ｂ）及び（１ｃ）の個々の染料（さらに本発明はこれに関する）は、例えば液体クロマトグラフィーにより分離することにより得ることができる。式（１ｂ）の反応性染料はここでは特に重要である。
【００７６】
更に本発明は、本発明の染料混合物の製造方法であって、
式（８ａ）及び（８ｂ）：
【００７７】
【化１６】
0003576187.tif 000008
【００７８】
（式中、Ｄ及びＤ´は上記と同義である）で示されるアミンの少なくとも１種をジアゾ化し、そしてこのジアゾ化生成物を、式（９ａ）：
【００７９】
【化１７】
0003576187.tif 000009
【００８０】
で示される化合物を式（９ｂ）又は（９ｃ）：
【００８１】
【化１８】
0003576187.tif 000010
【００８２】
（式中、Ｒ１  、Ｒ２  、Ｒ３  、Ｒ３  ´及びＢは請求項１と同義である）で示される化合物の少なくとも１種と一緒に含有する混合物とカップリングさせ、適切な場合にはその後さらに変換反応を行なうことを特徴とする方法に関する。
【００８３】
式（８ａ）及び（８ｂ）のアミンは、原則として水性／鉱酸溶液中で低温、例えば０ないし１０℃で亜硝酸の作用によりジアゾ化し、式（９ａ）、（９ｂ）又は（９ｃ）の化合物の混合物とのカップリングは酸性又は中性ないし弱アルカリｐＨ、特にｐＨ２ないし８で行われる。
【００８４】
式（８ａ）及び（８ｂ）のアミンは公知であり、又は公知の化合物と同様に調製することができる。
【００８５】
この方法の修正された実施態様は、はじめに反応性基の前駆体を含む染料を調製し、続いてそれを例えばエステル化又は付加反応により最終生成物に変換することを含む。
【００８６】
例えば、Ｚが基：ＨＯ−ＣＨ２  ＣＨ２  −である染料を調製することができ、そしてこの生成物をヒドロキシル基がスルファト基に変換されるように硫酸と反応させることができる。ヒドロキシル基の硫酸化は、例えば０℃ないし適度に上昇した温度で濃硫酸との反応により行われる。
【００８７】
さらに、この合成は続いて脱離反応を行うことができる。例えば、スルファトエチルスルホニル基を含む反応性染料は、例えば水酸化ナトリウムで処理することができ、スルファトエチルスルホニル基はビニルスルホニル基に変換される。
【００８８】
原理的に、式（１ａ）、（１ｂ）又は（１ｃ）の反応性染料の混合物は、繊維−反応性基を含む染料前駆体又は中間体から出発して調製するか、又は染料特性を有し、その目的に適切である中間体にそれらの繊維−反応性基を導入することにより調製することができる。
【００８９】
式（９ａ）（９ｂ）又は（９ｃ）の化合物の混合物は、式（１０）：
【００９０】
【化１９】
0003576187.tif 000011
【００９１】
で示される化合物を式（１１）及び（１２）：
【００９２】
【化２０】
0003576187.tif 000012
【００９３】
（式中、Ｂ、Ｒ１  及びＲ２  は上記と同義であり、Ｒ７  はＲ３  及びＲ３  ´に対するものと同義である）で示されるアミンと反応させ、適切な場合には続いてさらに変換反応を行うことにより得ることができる。
【００９４】
反応は、例えば温度約７０ないし１３０℃特に７０ないし９０℃で、溶媒中、例えばＮ，Ｎ−ジエチルアニリン、トリエチルアミン、高級アルコール又はケトン中で行うか、或いは式（１１）及び（１２）のアミンそれ自体を溶媒として用いる。反応は塩基の存在下で行ない、適切な溶媒はそれ自体塩基として機能するか、又は塩基、例えば炭酸ナトリウム若しくは炭酸カリウムを添加する。
【００９５】
適切な反応条件を選択することにより、式（１０）の化合物の塩素原子が段階的に置換されて、個々のモノ−又はジ置換生成物を単離することができる。
【００９６】
従って、基Ｒ２  に対してパラ位置の塩素原子が第一段階で低温例えば１０ないし５０℃で主として脱離し、一方基Ｒ２  に対してオルト位置の塩素原子は第二段階でそれより高い温度、例えば７０ないし１２０℃で脱離する。
【００９７】
従って、式（１１）及び（１２）のアミンを一緒ではなく引き続いて付加させると、式（９ｂ）の化合物又は式（９ｃ）の化合物が主生成物として得られる。第一段階で低温での第一のアミンの反応の後に得られた一置換中間体を単離し、続いて第二段階、即ち高温での第二のアミンの反応を行うことが有利であることが、本明細書で立証された。
【００９８】
従って、式（１１）のアミンが第一段階で低温で付加され、そして式（１２）のアミンが第二段階で高温で付加されると、式（９ｂ）の化合物が主化合物として得られる。これらのアミンを逆の順序で用いると、式（９ｃ）の化合物が主化合物として得られる。
【００９９】
式（９ａ）の化合物は、式（１１）及び（１２）のアミンの付加順序にかかわらず、原則として結果的に生じる混合物の構成成分である。
【０１００】
式（１０）、（１１）及び（１２）の化合物は公知であり、又は公知の化合物と同様に調製することができる。
【０１０１】
スルホ基又はスルファト基を含む式（１ａ）、（１ｂ）及び（１ｃ）の染料は、遊離の酸の形態又は好適にはその塩の形態のどちらかで供される。
【０１０２】
適切な塩の例はアルカリ金属塩、アルカリ土類金属塩又はアンモニウム塩若しくは有機アミンの塩である。これらの例は、ナトリウム塩、リチウム塩、カリウム塩又はアンモニウム塩若しくはモノ−、ジ−若しくはトリエタノールアミンの塩である。
【０１０３】
本発明の染料混合物は、広範な種々の材料、例えばヒドロキシル基又は窒素を含む繊維材料の染色又は捺染のために適切である。それらの例は、絹、皮革、羊毛、ポリアミド繊維及びポリウレタン、並びに特にすべての種類のセルロース性繊維材料である。
【０１０４】
そのようなセルロース性繊維材料は、例えば天然由来セルロース繊維、例えば木綿、リネン及び大麻並びにセルロース及び再生セルロースである。さらに本発明の染料混合物は、ヒドロキシル基を含み、繊維配合物に含まれる繊維、例えばモメントポリエステル繊維又はポリアミド繊維の染色又は捺染に適切である。本発明の染料混合物は、特にセルロース性繊維材料、又は特に天然由来若しくは合成のポリアミド繊維材料の染色又は捺染に適切である。
【０１０５】
本発明の染料混合物は繊維材料に用いることができ、種々の方法、特に水性染料溶液及び捺染糊料の形態で繊維上に固着させることができる。それらは浸染法及びパジング染色法による染色の両方の方法（製品を、適切な場合には塩を含む、水性染料溶液に浸漬し、そしてアルカリで又はアルカリの存在下に処理した後に、そして適切な場合には熱の作用下で、染料を固着する）に適切である。それらは、特にいわゆる冷パジングバッチ法（ｃｏｌｄ  ｐａｄ−ｂａｔｃｈ  ｐｒｏｃｅｓｓ：染料をアルカリとともにパッダー上で用い、次いで室温で数時間保持して固着する）に適切である。固着した後に、染色物又は捺染物を、適切な場合には非−固着部分の拡散を促進する分散助剤を転化して、冷水及び熱水で十分にすすぎ洗う。
【０１０６】
本発明の染料混合物は、高い反応性、良好な固着能力及び非常に良好な付着能力により特徴づけられる。従って、それらは低温での浸染法に用いることができ、そしてパジング−蒸気法においては必要な蒸気時間は短い時間でよい。固着の程度は高く、非−固着部分は容易に洗い落とすことができ、そして浸染の程度と固着の程度の差は非常に小さく、すなわち洗濯損失は非常に低い。本発明の染料混合物は、特に木綿の染色だけでなく、窒素−含有繊維、例えば羊毛若しくは絹又は羊毛若しくは絹を含む繊維配合物の染色にも、また適切である。
【０１０７】
本発明の染料で製造された染色物及び捺染物は、高い色強度並びに酸及びアルカリ領域で高い繊維−染料結合安定性を有し、そしてさらに光に対する堅牢性及び湿潤堅牢性、例えば洗濯、海水、交叉染色及び発汗堅牢性、並びに折り重ね、アイロン及び摩擦堅牢性を有している。
【０１０８】
【実施例】
下記の実施例は本発明を例示するためのものである。特に述べない限り、温度は摂氏度であり、部及びパーセントは重量である。重量による部と容量による部はキログラムとリットルと同じ関係にある。
【０１０９】
実施例１：
２，６−ジクロロ−３−シアノ−４−メチルピリジン１８７部をエタノールアミン４２７部に温度２０ないし３０℃で導入した。混合物を２０ないし３０℃で２時間撹拌した。透明褐色溶液を氷−水３０００部中に注いだ。生成した沈殿物を濾別し、水で洗浄し、乾燥した。式（１０１）及び（１０２）：
【０１１０】
【化２１】
0003576187.tif 000013
【０１１１】
で示される化合物の混合物１８０部を得た。式（１０１）の化合物の式（１０２）の化合物に対する割合は、３：１であった。
【０１１２】
記載されたように得た式（１０１）及び（１０２）の化合物の混合物１８０部をトリエチルアミン６８５部中に導入し、この混合物を還流した。ジアミノプロパン３１．５部を徐々に滴下し、還流下にさらに３時間撹拌した。反応が終了した時点で、炭酸ナトリウムを散布し、トリエチルアミンを留去した。得られた残留物を氷−水３０００部に注入し、生成した沈殿を濾別し、水で洗浄した。乾燥した後に、式（１０３）、（１０４）及び（１０５）：
【０１１３】
【化２２】
0003576187.tif 000014
【０１１４】
で示される化合物の混合物１６０部を得た。式（１０３）の化合物の含量は約６０％であり、式（１０４）の化合物のそれは約３５％であり、そして式（１０５）の化合物のそれは約５％であった。
【０１１５】
実施例２：
２，６−ジクロロ−３−シアノ−４−メチルピリジン１８７部をトリエチルアミン８００部に温度４０ないし５０℃で導入した。この懸濁液に１，３−ジアミノプロパン３７部を滴下し、続いて混合物を４０ないし５０℃でさらに５時間撹拌した。式（１０６）、（１０７）及び（１０８）：
【０１１６】
【化２３】
0003576187.tif 000015
【０１１７】
で示される化合物を含む懸濁液を得た。式（１０６）の化合物の含量は約６０％であり、式（１０７）の化合物のそれは約３５％であり、そして式（１０８）の化合物のそれは約５％であった。
【０１１８】
このようにして得た懸濁液にエタノールアミン５００部を加えた。温度を還流温度まで上昇させ、トリエチルアミンを留去した。トリエチルアミンを蒸留で除く間に、懸濁液が濃くなり過ぎないようにトリエチルアミン５００部をさらに加えた。内温が１１５℃に達した時点で、続いて混合物をこの温度でさらに２時間撹拌した。暗色溶液を室温まで冷却し、水６０００部に注入した。生成した沈殿物を濾別し、水で洗浄した。乾燥した後に、式（１０９）、（１１０）及び（１１１）：
【０１１９】
【化２４】
0003576187.tif 000016
【０１２０】
で示される化合物の混合物約１５０部を得た。式（１０９）の化合物の含量は約６０％であり、式（１１０）の化合物のそれは約３５％であり、そして式（１１１）の化合物のそれは約５％であった。
【０１２１】
実施例３〜１５：
主成分として第１表の第２欄に示されたピリジン化合物を含むピリジン化合物の相当する混合物は実施例１と類似の方法により得ることができた。混合物はシアノ又はカルボニル基が３−又は５−位でピリジン環に結合している点でのみ異なる３種の成分を含んでいた。
【０１２２】
【表１】
0003576187.tif 000017
【０１２３】
【表２】
0003576187.tif 000018
【０１２４】
【表３】
0003576187.tif 000019
【０１２５】
実施例１６：
氷−水２００部中のアニリン−２−β−スルファトエチルスルホニル−５−スルホン酸２４．４部の懸濁液を濃塩酸水溶液１５部で酸性とし、５Ｎ  亜硝酸ナトリウム溶液１３．６部でジアゾ化した。続いて、この混合物を温度約５℃で１時間撹拌し、過剰の亜硝酸をアミドスルホン酸により分解した。このようにして調製したジアゾニウム塩溶液を、ｐＨ４ないし５で、水１００部中の式（１１２）、（１１３）及び（１１４）：
【０１２６】
【化２５】
0003576187.tif 000020
【０１２７】
で示される化合物の混合物８部の懸濁液に徐々に加えた。式（１１２）、（１１３）及び（１１４）の化合物の割合は約１２：７：１であった。炭酸ナトリウムを添加してｐＨ値を６ないし７に調節した。続いて、混合物をカップリングが完了するまで２時間撹拌した。次いで、得られた生成物を逆浸透に付し、凍結乾燥した。遊離酸の形態で、式（１１５）、（１１６）及び（１１７）：
【０１２８】
【化２６】
0003576187.tif 000021
【０１２９】
で示される染料を含む混合物を得た。それぞれの場合での基：Ｄは式（１１７ａ）：
【０１３０】
【化２７】
0003576187.tif 000022
【０１３１】
で示される基であり、式（１１５）、（１１６）及び（１１７）の割合は約１２：７：１であった。式（１１５）、（１１６）及び（１１７）の染料の混合物は、木綿及び羊毛を鮮やかな橙色の色相に染色した。
【０１３２】
実施例１７：
氷−水２００部中の２−ナフチルアミノ−１−スルホ−６−β−スルファトエチルスルホン２２部の懸濁液を濃塩酸水溶液１５部で酸性とし、５Ｎ  亜硝酸ナトリウム溶液１３．６部でジアゾ化した。続いて、この混合物を温度約５℃で１時間撹拌し、過剰の亜硝酸をアミドスルホン酸により分解した。このようにして調製したジアゾニウム塩溶液を、ｐＨ４ないし５で、水１００部中の式（１１２）、（１１３）及び（１１４）の化合物の混合物７．５部を含む懸濁液に徐々に加えた。式（１１２）、（１１３）及び（１１４）の化合物の割合は約１２：７：１であった。炭酸ナトリウムを添加してｐＨ値を６ないし７とした。続いて、混合物をカップリングが完了するまで２時間撹拌した。次いで、得られた生成物を逆浸透に付し、凍結乾燥した。遊離酸の形態で、式（１１８）、（１１９）及び（１２０）：
【０１３３】
【化２８】
0003576187.tif 000023
【０１３４】
で示される化合物の染料を含む混合物を得た。式（１１８）、（１１９）及び（１２０）の化合物において、基Ｄはそれぞれ式（１２０ａ）：
【０１３５】
【化２９】
0003576187.tif 000024
【０１３６】
の基であり、式（１１８）、（１１９）及び（１２０）の化合物の割合は約１２：７：１であった。
【０１３７】
式（１１８）、（１１９）及び（１２０）の染料混合物は、木綿及び羊毛を鮮やかな橙色の色相に染色した。
【０１３８】
実施例１８：
氷−水２００部中の５−（２´，３´−ジブロモプロピオンアミノ）アニリン−２−スルホン酸１８部の懸濁液を濃塩酸水溶液１８部で酸性とし、５Ｎ  亜硝酸ナトリウム溶液１３．６部でジアゾ化した。続いて、この混合物を温度５ないし１５℃で１時間撹拌し、過剰の亜硝酸をアミドスルホン酸により分解した。このようにして調製したジアゾニウム塩溶液を、ｐＨ４ないし５で、水１００部中に式（１１２）、（１１３）及び（１１４）の化合物の混合物７．４部を含む懸濁液に徐々に加えた。式（１１２）、（１１３）及び（１１４）の化合物の割合は約１２：７：１であった。炭酸ナトリウムを添加してｐＨ値を６ないし７に調節した。続いて、混合物をカップリングが完了するまで２時間撹拌した。次いで、得られた生成物を逆浸透に付し、凍結乾燥した。遊離酸の形態で示された、式（１２１）、（１２２）及び（１２３）：
【０１３９】
【化３０】
0003576187.tif 000025
【０１４０】
の染料を含む混合物を得た。式（１２１）、（１２２）及び（１２３）の化合物において、基Ｄはそれぞれ式（１２３ａ）：
【０１４１】
【化３１】
0003576187.tif 000026
【０１４２】
の基であり、式（１２１）、（１２２）及び（１２３）の化合物の割合は約１２：７：１であった。
【０１４３】
式（１２１）、（１２２）及び（１２３）の染料混合物は、木綿及び羊毛を鮮やかな黄色の色相に染色した。
【０１４４】
実施例１９：
氷−水２００部中の４−（２´，３´−ジブロモプロピオンアミノ）アニリン−２−スルホン酸１８部の懸濁液を濃塩酸水溶液１５部で酸性とし、５Ｎ  亜硝酸ナトリウム溶液１３．６部でジアゾ化した。続いて、この混合物を温度５ないし１５℃で１時間撹拌し、過剰の亜硝酸をアミドスルホン酸により分解した。このようにして調製したジアゾニウム塩溶液を、ｐＨ４ないし５で、水１００部中に式（１１２）、（１１３）及び（１１４）の化合物の混合物７．４部を含む懸濁液に徐々に加えた。式（１１２）、（１１３）及び（１１４）の化合物の割合は約１２：７：１であった。炭酸ナトリウムを添加してｐＨ値を６ないし７に調節した。続いて、混合物をカップリングが完了するまで２時間撹拌した。次いで、得られた生成物を逆浸透に付し、凍結乾燥した。遊離酸の形態で示された、式（１２４）、（１２５）及び（１２６）：
【０１４５】
【化３２】
0003576187.tif 000027
【０１４６】
の染料を含む混合物を得た。式（１２４）、（１２５）及び（１２６）の化合物において、基Ｄはそれぞれ式（１２６ａ）：
【０１４７】
【化３３】
0003576187.tif 000028
【０１４８】
の基であり、式（１２４）、（１２５）及び（１２６）の化合物の割合は約１２：７：１であった。
【０１４９】
式（１２１）、（１２２）及び（１２３）の染料混合物は、木綿及び羊毛を鮮やかな橙色の色相に染色した。
【０１５０】
実施例２０〜６５：
第２表の欄２に主成分として示した反応性染料を含む反応性染料の相当する混合物は、実施例１６ないし１９と類似の方法により得ることができた。混合物は、シアノ又はカルボニル基が３−又は５−位で特定のピリジン環に結合している点でのみ異なる３種の成分を含む。欄２に示された反応性染料の混合物は、木綿及び羊毛を欄３に示した色相に染色した。
【０１５１】
【表４】
0003576187.tif 000029
【０１５２】
【表５】
0003576187.tif 000030
【０１５３】
【表６】
0003576187.tif 000031
【０１５４】
【表７】
0003576187.tif 000032
【０１５５】
【表８】
0003576187.tif 000033
【０１５６】
【表９】
0003576187.tif 000034
【０１５７】
【表１０】
0003576187.tif 000035
【０１５８】
【表１１】
0003576187.tif 000036
【０１５９】
上記化合物の吸収スペクトルのいくつかの例を第３表に示した。
【０１６０】
【表１２】
0003576187.tif 000037
【０１６１】
染色例
実施例１６により得た反応性染料２部を水４００部に溶解し、１リットル当たり食塩５３ｇ  を含む溶液１５００部を加えた。木綿繊維１００部をこの染料浴に４０℃で導入した。４５分後に１リットル当たり水酸化ナトリウム１６ｇ  及びか焼した炭酸ナトリウム２０ｇ  を含む溶液を加えた。さらに４５分間染料浴を４５℃に維持した。そのあとに、染色した製品をすすぎ洗い、中性洗剤と共に１５分間沸騰させて洗濯し、再度すすぎ洗い、そして乾燥した。
【０１６２】
捺染例
実施例１６により得た反応性染料３部を、５％アルギン酸アトリウム増粘剤５０部、水２７．８部、尿素２０部、ｍ−ニトロベンゼンスルホン酸ナトリウム１部及び炭酸ナトリウム１．２部からなる配合増粘剤１００部中に、激しく撹拌しながら散布した。このようにして得た捺染糊料で木綿繊維を捺染し、得られた捺染された材料を１０２℃の飽和蒸気中で２分間蒸熱した。次いで、捺染繊維をすすぎ洗い、適切な場合には沸騰させて洗濯し、再度すすぎ洗い、そして乾燥した。